(57)【要約】【課題】  部品点数を削減し、ディスプレイの開き角度を無段階に定めることができ、ディスプレイの開閉時のトルク調整を容易にかつ正確に行うことができて、構成がシンプルなディスク装置とディスプレイ筐体との連結部構造を安価に提供する。【解決手段】  ディスク装置１のフレーム１２にディスプレイ筐体２１を開閉可能に連結するための連結部構造Ａが対象である。金属製の一対の摩擦板３１，４１にコイルばね５の軸方向付勢力を付与しており、コイルばね５の軸方向付勢力の大きさを増減調節する手段として、調整ねじ６とその調整ねじ６をねじ込んだナット体７を採用する。【選択図】        図４
2006092653.tif 000002
【特許請求の範囲】
【請求項１】
ディスク駆動部を備えたディスク装置のフレームに、ディスプレイ筐体が開閉可能に連結されてなるディスク装置とディスプレイ筐体との連結部構造であって、
相対回転可能に互いに重なり合った金属製の一対の摩擦板にコイルばねの軸方向付勢力が付与されていて、そのコイルばねの軸方向付勢力の大きさを増減調節する手段を備え、この手段が、一対の上記摩擦板のそれぞれに具備された孔部に挿通されてそれらの摩擦板を相対回転可能に保持する頭付きボルトでなる調整ねじその調整ねじがねじ込まれたナット体とでなり、上記調整ねじに上記コイルばねが嵌合保持されて、そのコイルばねの軸方向先端部と上記ナット体とによって一対の上記摩擦板が弾圧挟持され、一方側摩擦板に上記ディスプレイ筐体にビス止めされた取付部が備わり、かつ、他方側摩擦板に上記フレームにビス止めされた取付部が備わっていると共に、上記ナット体が、一方側摩擦板に固着されたナット又は一方側摩擦板に形成されたねじ孔部でなることを特徴とするディスク装置とディスプレイ筐体との連結部構造。
【請求項２】
ディスク駆動部を備えたディスク装置のフレームに、ディスプレイ筐体が開閉可能に連結されてなるディスク装置とディスプレイ筐体との連結部構造であって、
相対回転可能に互いに重なり合った金属製の一対の摩擦板にコイルばねの軸方向付勢力が付与されていて、そのコイルばねの軸方向付勢力の大きさを増減調節する手段を備えていることを特徴とするディスク装置とディスプレイ筐体との連結部構造。
【請求項３】
コイルばねの軸方向付勢力の大きさを増減調節する上記手段が、一対の上記摩擦板のそれぞれに具備された孔部に挿通されてそれらの摩擦板を相対回転可能に保持する頭付きボルトでなる調整ねじとその調整ねじがねじ込まれたナット体とでなり、上記調整ねじに上記コイルばねが嵌合保持されて、そのコイルばねの軸方向先端部と上記ナット体とによって一対の上記摩擦板が弾圧挟持されている請求項２に記載したディスク装置とディスプレイ筐体との連結部構造。
【請求項４】
上記ナット体が、一方側摩擦板に固着されたナット又は一方側摩擦板に形成されたねじ孔部でなる請求項３に記載したディスク装置とディスプレイ筐体との連結部構造。
【発明の詳細な説明】
【技術分野】
【０００１】
本発明は、ディスク装置とディスプレイ筐体との連結部構造、特に、ディスク装置にディスプレイを開閉可能に連結する場合において、ディスプレイの開き角度を無段階に定めることができるようにしてある連結部構造に関する。
【背景技術】
【０００２】
この種の連結部構造の従来例として、ばねワッシャなどのリング状の弾性体、金属シャフト、樹脂製円筒などを組み合わせたヒンジを採用したものがあった。
【０００３】
他の従来例として、コイルばねを用いた角度調整可能ヒンジ装置が知られていた（特許文献１参照）。そのほか、多数枚の皿ばねを組み合わせたフリクションリングを採用したもの（特許文献２参照）、スプリングワッシャを用いたもの（特許文献３参照）、などもあった。さらに、眼鏡フレームの弾性ヒンジとして、フレームに対してサイドアームを段階的に開閉することのできるものが開示されている。
【特許文献１】実開平５−８０２７号公報
【特許文献２】特開２００４−１１６５４０号公報
【特許文献３】特開２００２−２６６８４１号公報
【特許文献４】特開平１１−５０８０５９号公報
【発明の開示】
【発明が解決しようとする課題】
【０００４】
しかしながら、特許文献１に記載されているものは、コイルスプリングの輪部を調整ネジの締付け度合に応じて拡縮径させることにより、ヒンジの回転トルクを変化させるようにしたものであって、固定軸、回転軸、調整ねじ（タッピングネジ）、コイルスプリングといった多くの部品を必要している。また、特許文献２に記載されているものも、多くの皿ばねのほか、筒状のホルダー、シャフト、ナットなどの多くの部品を必要としている。さら、特許文献３に記載されているものも同様に、円板状の多くの摩擦ボスや、支軸、ナットなどの多くの部品を必要としている。さらに、特許文献４に記載されているものは無段階に開き角度を調節することができるものではない。
【０００５】
本発明は以上の状況に鑑みてなされたものであり、部品点数が極端に少なくて済み、ディスプレイの開き角度を無段階に定めることができるだけでなく、ディスプレイの開閉時のトルク調整を容易にかつ正確に行うことのできるディスク装置とディスプレイ筐体との連結部構造を提供することを目的とする。
【課題を解決するための手段】
【０００６】
本発明に係るディスク装置とディスプレイ筐体との連結部構造は、ディスク駆動部を備えたディスク装置のフレームに、ディスプレイ筐体が開閉可能に連結されてなるディスク装置とディスプレイ筐体との連結部構造である。そして、相対回転可能に互いに重なり合った金属製の一対の摩擦板にコイルばねの軸方向付勢力が付与されていて、そのコイルばねの軸方向付勢力の大きさを増減調節する手段を備えている。
【０００７】
この構成であれば、コイルばねの軸方向付勢力の大きさを増減調節することによって一対の摩擦板の重なり箇所での摩擦抵抗が変化する。また、一対の摩擦板は無段階に相対回転可能である。したがって、部品点数が少なくて済み、ディスプレイの開き角度を無段階に定めることができ、ディスプレイの開閉時のトルク調整を行うことができる。
【０００８】
本発明では、コイルばねの軸方向付勢力の大きさを増減調節する上記手段が、一対の上記摩擦板のそれぞれに具備された孔部に挿通されてそれらの摩擦板を相対回転可能に保持する頭付きボルトでなる調整ねじとその調整ねじがねじ込まれたナット体とでなり、上記調整ねじに上記コイルばねが嵌合保持されて、そのコイルばねの軸方向先端部と上記ナット体とによって一対の上記摩擦板が弾圧挟持されている、という構成を採用することができる。
【０００９】
この構成であれば、一対の摩擦板を相対回転可能に保持するための部材と調整ねじとが、同一の頭付きボルトによって兼用されているので部品点数の増加が抑えられる。また、調整ねじを締付け方向に回転操作することによって回転トルクが増大し、調整ねじを緩み方向に回転操作することによって回転トルクが減少する。
【００１０】
本発明では、上記ナット体が、一方側摩擦板に固着されたナット又は一方側摩擦板に形成されたねじ孔部でなる、という構成を採用することが可能である。ナット体をナットによって形成すると、ナット体を安価に入手することが可能になり、ナット体を一方側摩擦板に形成されたねじ孔部によって形成すると、別部品としてのナットなどが不要になるのでそれだけ部品点数が削減される。
【００１１】
本発明に係るディスク装置とディスプレイ筐体との連結部構造は、ディスク駆動部を備えたディスク装置のフレームに、ディスプレイ筐体が開閉可能に連結されてなるディスク装置とディスプレイ筐体との連結部構造であって、相対回転可能に互いに重なり合った金属製の一対の摩擦板にコイルばねの軸方向付勢力が付与されていて、そのコイルばねの軸方向付勢力の大きさを増減張設する手段を備え、この手段が、一対の上記摩擦板のそれぞれに具備された孔部に挿通されてそれらの摩擦板を相対回転可能に保持する頭付きボルトでなる調整ねじその調整ねじがねじ込まれたナット体とでなり、上記調整ねじに上記コイルばねが嵌合保持されて、そのコイルばねの軸方向先端部と上記ナット体とによって一対の上記摩擦板が弾圧挟持され、一方側摩擦板に上記ディスプレイ筐体にビス止めされた取付部が備わり、かつ、他方側摩擦板に上記フレームにビス止めされた取付部が備わっていると共に、上記ナット体が、一方側摩擦板に固着されたナット又は一方側摩擦板に形成されたねじ孔部でなる、という構成を採用することによっていっそう具体化される。
【発明の効果】
【００１２】
本発明によれば、部品点数が極端に少なくて済み、ディスプレイの開き角度を無段階に定めることができ、ディスプレイの開閉時のトルク調整を容易にかつ正確に行うことができて、しかも、構成がシンプルなディスク装置とディスプレイ筐体との連結部構造を安価に提供することが可能になる。
【発明を実施するための最良の形態】
【００１３】
図１は本発明に係る連結部構造Ａを採用したＤＶＤプレーヤを一部省略して示した平面図、図２は図１のＩＩ矢視図に相応する同連結部構造Ｂの拡大側面図、図３は図２のＩＩＩ−ＩＩＩ線に沿う部分の拡大断面図、図４は同連結部構造Ｂの分解斜視図である。
【００１４】
図１において、１はディスク装置、２はディスプレイをそれぞれ示している。ディスク装置１のフレーム１２に、各種の設定ボタンや制御ボタンなどが配備された操作部１３が具備されている。さらに、このディスク装置１には、円板状のディスクが装着されるターンテーブル１４、ディスクの記録面を走査する光ピックアップ１５などが備わっている。これに対し、ディスプレイ２はＬＣＤと通称されるものであって、そのディスプレイ２の縁枠を形成しているディスプレイ筐体２１が、本発明の実施形態である連結部構造Ａを介して連結されている。
【００１５】
図２、図３又は図４を参照して上記連結部構造Ｂを説明する。図４のように、この連結部構造Ｂは、摩擦板３１，４１を各別に備える金属製（板金製）の２個の連結具３，４と、コイルばね５と、調整ねじ６と、ナット体７とで構成されている。２個の連結具３，４に備わっている一対の摩擦板３１，４１は、図３のように互いに接触する状態で相対回転可能に重ね合わされ、それらの各摩擦板３１，４１に形成されている孔部３２，４２に、頭付きボルトでなる上記調整ねじ６が挿通されている。また、調整ねじ６にはコイルばね５が嵌合状に保持されていると共に、その調整ねじ６がナット体７にねじ込まれていることによって、上記した一対の摩擦板３１，４１がコイルばね５の軸方向先端部５１とナット体７とによって弾圧状態で挟持されている。なお、図例では、調整ねじ６である頭付きボルトとしてワッシャ６１を一体に備えたワッシャ付き頭付きボルトを採用していて、そのワッシャ６１と他方側摩擦板４１との間でコイルばね５を軸方向に圧縮している。
【００１６】
また、図２のように、一方側連結具３に備わっている取付部３３がディスプレイ筐体２１に取付ビス８によってビス止めされているのに対し、他方側連結具４に備わっている取付部４３が取付ビス９によってフレーム１２にビス止めされている。
【００１７】
なお、図１に概略的に示したように、ディスク装置１のフレーム１２と、ディスプレイ筐体２１とは、左右２箇所で開閉可能に連結されていて、そのうちの１箇所に上記連結部構造Ａが採用されているけれども、この点は、左右２箇所の両方に上記連結部構造Ａを採用することも可能である。
【００１８】
ところで、コイルばね５は軸方向に圧縮されているときに、その反力が軸方向付勢力として作用する。また、コイルばね５は、軸方向の圧縮量を大きくしてその軸長を短くすると軸方向付勢力が大きくなり、軸方向の圧縮量を小さくしてその軸長を長くすると軸方向付勢力が小さくなる。
【００１９】
したがって、上記した連結部構造Ａにおいて、調整ねじ６１を締付け方向に回転させると、コイルばね５の軸方向の圧縮量が大きくなって軸方向付勢力が大きくなり、一対の摩擦板３１，４２の重なり面での摩擦抵抗が大きくなってディスプレイ２の開閉時のトルクが増大する。その逆に、調整ねじ６１を緩み方向に回転させると、コイルばね５の軸方向の圧縮量が小さくなって軸方向付勢力が小さくなり、一対の摩擦板３１，４２の重なり面での摩擦抵抗が小さくなってディスプレイ２の開閉時のトルクが減少する。したがって、調整ねじ６１を回転操作してコイルばね５の軸方向の圧縮量の適切に調節しておくと、ディスプレイ２を無段階に開閉することができて、しかも、任意の開き角度でそのディスプレイ２を位置固定することができるようになる。また、調整ねじ６１を回転操作することによって、ディスプレイ２の開閉時のトルクを増減調節して使い勝手のよい大きさに容易にかつ正確に定めることができる。
【００２０】
以上説明した実施形態では、ナット体７として汎用的なナットを用いていて、そのナットを独立した１部品として扱っている。そのため、調整ねじ６の回転操作によってナット体７が調整ねじ６と共回りすることを防止しておくことが望ましい。そのような共回り防止のための対策としては、ナット体７を接着剤、溶接、加締めなどの適宜手段で一方側摩擦板３１に接合しておくことが有効である。
【００２１】
図５は、ナット体７を、一方側摩擦板３１と一体のねじ孔部によって形成した事例を示している。ねじ孔部は、一方側摩擦板３１をバーリング加工によって形成した筒部の内面に雌ねじを刻設することにより容易に形成することが可能である。この構成を採用することにより、汎用のナットが不要になってそれだけ部品点数を削減することができ、しかも、調整ねじ６との共回りを防ぐ対策を特別に講じる必要がなくなる。
【図面の簡単な説明】
【００２２】
【図１】本発明に係る連結部構造を採用したＤＶＤプレーヤを一部省略して示した平面図である。
【図２】図１のＩＩ矢視図に相応する同連結部構造の拡大側面図である。
【図３】図２のＩＩＩ−ＩＩＩ線に沿う部分の拡大断面図である。
【図４】同連結部構造の分解斜視図である。
【図５】変形例によるナット体を採用した事例の図３に相応する拡大断面図である。
【符号の説明】
【００２３】
Ａ  ディスク装置とディスプレイ筐体との連結部構造
１  ディスク装置
５  コイルばね
６  調整ねじ
７  ナット体
１２  フレーム
２１  ディスプレイ筐体
３１，４１  摩擦板
３２，４２  孔部
３３，４３  取付部
５１  コイルばねの軸方向先端部
【図１】
2006092653.tif 000003
【図２】
2006092653.tif 000004
【図３】
2006092653.tif 000005
【図４】
2006092653.tif 000006
【図５】
2006092653.tif 000007